(57)【特許請求の範囲】
【請求項１】
畝に沿ってその間を走行する車輪（６、６、６、６）を備えた自走可能な車体（８）と、散布ノズル（１０）によって液体を噴霧するための噴霧装置（１２）と、前記車体（８）に搭載された液体タンク（１４）と、該液体タンク（１４）の中の液体を前記噴霧装置（１２）に送出する送液ポンプ（１６）と、前記噴霧装置（１２）に対して着脱自在で前記送液ポンプ（１６）を前記噴霧装置（１２）に接続するためのポンプ配管（１８）と、を有する乗用管理機（２）用の潅水装置（１）であって、
走行時において、畝の上を横切るように、前記車体（８）に対して左右方向に延びるように前記車体（８）に取付ける潅水装置ステー（２６）と、
該潅水装置ステー（２６）に取付けられた、前記散布ノズル（１０）よりも多い吐出量で畝に向かって吐水可能な潅水ノズル（２８）と、
該潅水ノズル（２８）と連通し、且つ、前記ポンプ配管（１８）を着脱自在に接続可能な配管接続部（３０）と、を有することを特徴とする潅水装置。
【請求項２】
前記潅水装置ステー（２６）は、更に、前記車輪（６、６）間の畝の上を横切るように延びるレール部（３４）と、前記潅水ノズル（２８）を前記レール部（３４）に取付けるためのノズルステー（３８）と、を有し、該ノズルステー（３８）の取付け位置は、所望の潅水位置に合わせて前記レール部（３４）に沿って変更可能であることを特徴とする請求項１に記載の潅水装置。
【請求項３】
前記ノズルステー（３８）は、前記潅水ノズル（２８）の吐水方向を変えるために曲げることが可能であることを特徴とする請求項２に記載の潅水装置。
【請求項４】
前記潅水ノズル（２８）は複数あり、前記配管接続部（３０）は、前記送液ポンプ（１６）からの水を前記各潅水ノズル（２８）に分配するための分配筐（４２）と、該分配筐（４２）を前記各潅水ノズル（２８）に接続するための潅水ノズル配管（４４）と、を有することを特徴とする請求項１〜３のいずれか一項に記載の潅水装置。
【請求項５】
前記車体（８）は、前記車輪（６、６）間の畝を横切るように延びる矩形断面の取付けフレーム（２４）を有し、
前記潅水装置ステー（２６）は、前記取付けフレーム（２４）に上方から嵌合可能な凹状取付け部（３２ａ）と、該凹状取付け部（３２ａ）を前記取付けフレーム（２４）に対して固定するための締結具（３６）と、を有することを特徴とする請求項１〜４のいずれか一項に記載の潅水装置。
【請求項６】
請求項１〜５のいずれか一項に記載の潅水装置（１）が取付けられた乗用管理機（４）。
【請求項７】
畝に沿ってその間を走行する車輪（６、６、６、６）を備えた自走可能な車体（８）と、散布ノズル（１０）によって液体を噴霧するための噴霧装置（１２）と、畝に向かって吐水する潅水ノズル（２８）を有する潅水装置（１）と、前記車体（８）に搭載された液体タンク（１４）と、該液体タンク（１４）の中の液体を前記噴霧装置（１２）及び前記潅水装置（１）に送出する送液ポンプ（１６）と、前記送液ポンプ（１６）と前記噴霧装置（１２）及び前記潅水装置（１）とを切替え式に接続するためのポンプ配管（１８）と、を有し、
前記潅水ノズル（２８）の吐出量は、前記散布ノズル（１０）の吐出量よりも多いことを特徴とする乗用管理機（４）。
【発明の詳細な説明】
【技術分野】
【０００１】
本発明は、潅水装置に関し、更に詳細には、乗用管理機用潅水装置に関する。
また、本発明は、乗用管理機用潅水装置が取付けられた乗用管理機に関する。
【背景技術】
【０００２】
従来から、農作業に使用するための乗用管理機及び液剤散布装置が知られている（例えば、特許文献１参照）。乗用管理機は、主として、水田及び畑作における防除剤及び除草剤の散布作業等を、一人の作業者で簡単に行うための機械である。
【０００３】
図４は、乗用管理機の一例を示す斜視図である。図４に示すように、従来一般的な乗用管理機７０は、図示しない作付け用の畝に沿ってその間を前後に走行する車輪７６、７６、７６，７６を備えた自走可能な車体７８と、散布ノズル８０によって液体を噴霧するための噴霧装置８２と、前記車体７８に搭載された、容量５００リットル程度の液体タンク８４と、該液体タンク８４の中の液体を前記噴霧装置８２に送出する高圧プランジャー式等の送液ポンプ８６と、前記噴霧装置８２に対して着脱自在であって、前記送液ポンプ８６と前記噴霧装置８２とを接続するためのポンプ配管８８と、を有し、前記噴霧装置８２は、前記左右の車輪７６、７６間の畝の上を横切るように前記車体７８に固定されたセンターブーム９０と、該センターブーム９０を延長するようにその左右両側に配置された折畳み式の延長ブーム９２と、を有し、前記センターブーム９０及び前記延長ブーム９２の下面には、複数の前記散布ノズル８０が適宜の間隔をおいて取付けられている。前記延長ブーム９２は、使用しないときには、前記車体７８の両側に沿って折り畳まれるが（図４参照）、使用時には、前記センターブーム９０を左右方向に延長する位置に展開され、前記車体７８の左右両側の畝の上を横切って延びる（図示せず）ように構成されている。
【０００４】
図４に示す前記乗用管理機７０を使用するときには、前記液体タンク８４内に薬剤を入れ、前記延長ブーム９２を展開して前記車体７８の左右両側に張り出させる。前記車体７８を自走させながら、前記液体タンク８４内の薬剤を前記送液ポンプ８６によって前記噴霧装置８２に送出し、前記センターブーム９０及び前記延長ブーム９２に取付けられた多数の前記散布ノズル８０から噴霧する。それにより、霧状の薬剤を広範囲にわたって効率的に散布することができる。
【０００５】
【特許文献１】実公平４−４８８４４号公報
【発明の開示】
【発明が解決しようとする課題】
【０００６】
上述したように、防除剤及び除草剤等の散布については、大型のブームスプレーヤや前記乗用管理機７０によって省力化が図られてきた。しかしながら、作物栽培における播種後、定植後及び移植後に行うべき潅水については、ブームスプレーヤや前記乗用管理機７０を所有していても、効率的な潅水作業を行うことができず、未だ十分に省力化が図られていなかった。
その第一の理由は、播種後、定植後及び移植後の作物の部位に多量の潅水を行う必要があるのに対し、既存のブームスプレーヤや前記乗用管理機７０を極低速度（０．３ｍ／ｓｅｃ程度）で潅水用に使用して、吐水量を確保しようとしても、そのままでは、一つ一つの前記散布ノズル８０から霧状で吐出される水の量がきわめて少ない（１リットル／ｍｉｎ程度）ので、潅水すべき箇所に散布される吐水量が必要水量（１０リットル／ｍｉｎ程度）に対して大幅に不足することである。第二の理由は、既存のブームスプレーヤや前記乗用管理機７０を極低速度（０．３ｍ／ｍｉｎ程度）で走行させた場合、水が畝だけでなく畝間にも多量に散布されることになるので、その様な畝間を前記車輪７６が走行したときに圃場が荒れてしまうことである。また、前記乗用管理機７０を前記の如く極低速度で走行させることは、非効率的である。第三の理由は、潅水する必要がない畝間及び畝のうちの、播種等されていない箇所にも水が多量に散布されることになるので、特に、前記乗用管理機７０を使用した場合、圃場全体の潅水作業が終了する迄に、前記液体タンク８４に何回も水を補給しなければならないことである。
【０００７】
これらの理由により、既存のブームスプレーヤや前記乗用管理機７０を所有していても、それらをそのまま潅水作業に使用することはできなかった。その結果、ほとんどの場合、潅水作業をセット動噴等による手散布作業で行っていた。
【０００８】
そこで、本発明は、潅水作業の省力化を図ることができる乗用管理機用潅水装置及びそれが取付けられた乗用管理機を提供することを目的としている。
【課題を解決するための手段】
【０００９】
上記目的を達成するために、本発明による乗用管理機用潅水装置は、畝に沿ってその間を走行する車輪を備えた自走可能な車体と、散布ノズルによって液体を噴霧するための噴霧装置と、前記車体に搭載された液体タンクと、該液体タンクの中の液体を前記噴霧装置に送出する送液ポンプと、前記噴霧装置に対して着脱自在で前記送液ポンプを前記噴霧装置に接続するためのポンプ配管と、を有する乗用管理機用の潅水装置であって、走行時において、畝の上を横切るように、前記車体に対して左右方向に延びるように前記車体に取付ける潅水装置ステーと、該潅水装置ステーに取付けられた、前記散布ノズルよりも多い吐出量で畝に向かって吐水可能な潅水ノズルと、該潅水ノズルと連通し、且つ、前記ポンプ配管を着脱自在に接続可能な配管接続部と、を有することを特徴としている。
【００１０】
このように構成された本発明による乗用管理機用潅水装置は、前記潅水装置ステーによって前記乗用管理機の車体に取付けられる。また、前記噴霧装置と前記送液ポンプとを接続している前記ポンプ配管を前記噴霧装置から取外し、その代わりに、前記ポンプ配管を前記配管接続部に接続することができる。それにより、前記送液ポンプは、前記ポンプ配管、前記配管接続部を介して、前記潅水ノズルに接続される。前記液体タンクに水を入れて、前記乗用管理機を作動させると、前記乗用管理機が自走しながら、前記液体タンク内の水が前記送液ポンプによって前記潅水ノズルに送出され、該潅水ノズルから、前記散布ノズルよりも多い量の水が吐水される。
前記潅水ノズルは、畝の上を横切るように前記車体に対して左右方向に延びる前記潅水装置ステーに取付けられているので、播種後、定植後及び移植後の作物の部位に多量の潅水を施すことができる。また、畝間には潅水されないので、圃場が前記車輪によって荒らされることはなく、前記液体タンクの限られた容量で、より広い範囲に潅水を施すことができる。
【００１１】
従って、本発明による潅水装置は、既存の前記乗用管理機が有している自走可能な前記車体、前記液体タンク、前記送液ポンプ及び前記ポンプ配管を利用して、潅水機能を備えた自走式の乗用管理機を構成することができる。その結果、防除剤や除草剤等の散布作業と、播種後、定植後及び移植後の潅水作業を、一台の乗用管理機によって行うことができる。
【００１２】
本発明による潅水装置の実施形態において、好ましくは、前記潅水装置ステーは、更に、前記車輪間の畝の上を横切るように延びるレール部と、前記潅水ノズルを前記レール部に取付けるためのノズルステーと、を有し、該ノズルステーの取付け位置は、所望の潅水位置に合わせて前記レール部に沿って変更可能である。
この潅水装置の実施形態では、前記ノズルステーの前記レール部に対する取付け位置を変更することにより、播種、定植及び移植部位等に合わせて前記潅水ノズルの吐水位置をこまかく調整することができ、例えば、前記潅水ノズルが二つ以上ある場合にも吐出間隔を適切に調整することができる。
【００１３】
上記実施形態において、好ましくは、前記ノズルステーは、前記潅水ノズルの吐水方向を変えるために曲げることが可能である。
この潅水装置の実施形態では、前記ノズルステーを必要に応じて曲げることにより、前記潅水ノズルの取付け方向が変えられるので、潅水ノズルによる吐水方向をより適切に調整することができる。
【００１４】
また、本発明による潅水装置の実施形態において、好ましくは、前記潅水ノズルは複数あり、前記配管接続部は、前記送液ポンプからの水を前記各潅水ノズルに分配するための分配筐と、該分配筐を前記各潅水ノズルに接続するための潅水ノズル配管と、を有する。
この潅水装置の実施形態では、前記ポンプ配管を、前記配管接続部を介して複数の前記潅水ノズルに接続する際、前記分配筐の一ヶ所に接続すればよいので、前記潅水装置を前記車体に取付けるときの配管作業がきわめて容易になる。
【００１５】
また、本発明による潅水装置の実施形態において、好ましくは、前記車体は、前記車輪間の畝を横切るように延びる矩形断面の取付けフレームを有し、前記潅水装置ステーは、前記取付けフレームに上方から嵌合可能な凹状取付け部と、該凹状取付け部を前記取付けフレームに対して固定するための締結具と、を有する。
この潅水装置の実施形態では、前記潅水装置ステーの前記凹状取付け部を前記車体の前記取付けフレームに嵌合させ、前記凹状取付け部を前記締結具によって前記取付けフレームに対して固定することにより、前記潅水装置を前記車体に容易に取付けることができる。また、前記潅水装置を使用しないときには、前記潅水装置を前記車体から取外してもよい。
【００１６】
また、本発明による乗用管理機は、上述した潅水装置が取付けられた乗用管理機である。
【００１７】
更に、本発明による乗用管理機は、畝に沿ってその間を走行する車輪を備えた自走可能な車体と、散布ノズルによって液体を噴霧するための噴霧装置と、畝に向かって吐水する潅水ノズルを有する潅水装置と、前記車体に搭載された液体タンクと、該液体タンクの中の液体を前記噴霧装置及び前記潅水装置に送出する送液ポンプと、前記送液ポンプと前記噴霧装置及び前記潅水装置とを切替え式に接続するためのポンプ配管と、を有し、前記潅水ノズルの吐出量は、前記散布ノズルの吐出量よりも多いことを特徴としている。
このように構成された乗用管理機では、前記潅水装置は、前記車体に対して脱着可能であってもよいし、取外すことができないものであってもよい。
【発明の効果】
【００１８】
本発明による乗用管理機用の潅水装置及びそれが取付けられた乗用管理機により、潅水作業の省力化を図ることができる。
【発明を実施するための最良の形態】
【００１９】
以下、図１から図３を参照して、本発明による乗用管理機用の潅水装置を取付けた乗用管理機の一つの実施形態を説明する。図１は、本発明による潅水装置を取付けた乗用管理機の全体斜視図である。図２は、乗用管理機の進行方向前方から見た、本発明による潅水装置の要部斜視図であり、図３は、その後方から見た要部斜視図である。
【００２０】
図１に示すように、本発明による潅水装置１は、図４に示す如き従来型の乗用管理機２に取付けられている。
本発明による潅水装置１が取付けられた乗用管理機４は、畝に沿ってその間を前後方向に走行する車輪６、６、６、６を備えた自走可能な車体８と、散布（噴霧）ノズル１０によって農薬等の液体を噴霧するための噴霧装置１２と、前記車体８に搭載された液体タンク１４と、該液体タンク１４の中の前記液体を前記噴霧装置１２に送出する送液ポンプ１６と、前記噴霧装置１２に対して着脱自在で前記送液ポンプ１６を前記噴霧装置１２に接続するためのポンプ配管１８と、を有している。
【００２１】
前記車体８には、操縦席１９が設けられ、前記車輪６が前後左右に四つ取付けられている。前記車輪６は、前記車体８に搭載されたエンジン駆動システム（図示せず）によって駆動可能である。
【００２２】
前記噴霧装置１２は、前記左右の車輪６、６間の畝の上を左右に横切るように、前記車体８に固定されたセンターブーム２０と、該センターブーム２０を左右方向へ延長するように、その両側に配置された折畳み式の延長ブーム２２、２２と、を有し、前記センターブーム２０及び前記延長ブーム２２、２２の下面には、多数の前記散布ノズル１０、１０、・・・が、所定の間隔をおいて取付けられている。
折畳み式の前記延長ブーム２２は、使用しないときに前記車体８の左右両側に沿って折り畳まれる折り畳み位置２２ａと、使用するときに前記センターブーム２０を左右に延長する位置に展開された展開位置２２ｂと、の間を、油圧駆動装置等（図示せず）によって移動可能であり、前記展開位置２２ｂにあるとき、前記車体８の左右両側の畝の上を横切って延びるように構成されている。前記延長ブーム２２は、その全体長さが変えられるように伸縮機能を有していてもよいし、前記センターブーム２０に対して延長される箇所を中心に水平方向に対する傾斜角度が変えられるように構成されていてもよい。
【００２３】
前記ポンプ配管１８は、本実施形態では、前記送液ポンプ１６から延びる上流側配管１８ａと、該上流側配管１８ａから三つに分岐して、それぞれ前記センターブーム２０及び二本の延長ブーム２２、２２に設けられた継手（図示せず）に脱着可能に接続される下流側配管１８ｂと、を有し、前記各ブーム２０、２２、２２に設けられた前記継手（図示せず）は、それぞれのブーム２０、２２、２２の前記各散布ノズル１０、１０、・・・に連通している。前記下流側配管１８ｂは、前記継手（図示せず）から取外したときに、前記送液ポンプ１６側からの液体が漏れないように、前記下流側配管１８ｂの下流端部を自動的に閉鎖する構造を有している、ワンタッチカプラー式のものであることが好ましい。また、前記散布ノズル１０は、噴霧を行ったり停止させたりするための開閉コック（図示せず）有していることが好ましい。
【００２４】
前記各散布ノズル１０は、薬剤等の液体を高圧で噴霧して霧状にする型式の、吐出量１リットル／ｍｉｎ程度のものである。
【００２５】
前記車体８は、前記車輪６、６間の畝を横切るように、前記車体８に対して左右方向に延びる取付けフレーム２４を有しており、前記センターブーム２０は、前記取付けフレーム２４の下面２４ａに固定されている。前記取付けフレーム２４の断面は、上下方向が長い矩形であることが好ましい。また、前記取付けフレーム２４は、前記センターブーム２０の地上からの高さが変えられるように、平行四辺リンケージ等を介して、前記車体６に対して上下方向に移動可能に構成されていることが好ましい。
【００２６】
本発明による潅水装置１は、走行時において、畝の上を横切るように、前記車体８に対して左右方向に延びるように取付け可能な潅水装置ステー２６と、該潅水装置ステー２６に取付けられた、前記各散布ノズル１０よりも多い吐出量（１０リットル／ｍｉｎ程度）で畝に向かって吐水可能な潅水ノズル２８と、該潅水ノズル２８と連通し、且つ、前記ポンプ配管１８の前記下流側配管１８ｂを着脱自在に接続可能な配管接続部３０と、を有している。
【００２７】
前記潅水装置ステー２６は、具体的には、前記車体８の前記取付けフレーム２４に取付けられており、前記取付けフレーム２４に取付けられる取付け部３２、３２と、前記車輪６、６間の畝の上を横切るように延びるレール部３４と、前記取付け部３２、３２を前記取付けフレーム２４に対して固定するための締結具３６、３６と、前記潅水ノズル２８を、前記レール部３４に取付けるためのノズルステー３８と、を有している。本実施形態では、前記取付け部３２、３２は、前記取付けフレーム２４に上方から嵌合可能な凹状取付け部３２ａを有し、該凹状取付け部３２ａは、前記締結具３６、３６によって前記取付けフレーム２４に対して固定されている。前記締結具３６、３６は、例えば、ノブボルトである。
【００２８】
前記潅水ノズル２８は複数あり、本実施形態では、四つ設けられている。前記レール部３４の断面は上下方向が長い矩形であり、前記ノズルステー３８は、前記レール部３４に上方から嵌合する凹状取付け部３８ａを有し、それにより、前記ノズルステー３８の取付け位置は、畝上の播種、定植及び移植部位に合わせて前記レール部３４に沿って左右に変更可能である。前記各ノズルステー３８はそれぞれ、締結具４０によって前記レール部３４上の所望位置に固着されている。前記各締結具４０は、例えば、ノブボルトである。前記各ノズルステー３８は、好ましくは、前記潅水ノズル２８の吐水方向を変えるために曲げることが可能であり、例えば、塑性変形させ易い、防錆処理済みの鉄板等の金属板で形成される。
【００２９】
前記配管接続部３０は、前記送液ポンプ１６からの水を前記各潅水ノズル２８に分配するための分配筐４２と、該分配筐４２を前記各潅水ノズル２８に接続するための潅水ノズル配管４４と、を有している。前記分配筐４２に接続される前記ポンプ配管１８は、例えば、前記センターブーム２０に接続される、前記下流側配管１８ｂであることが好ましい。該下流側配管１８ｂは、前記分配筐４２にワンタッチで着脱できることが好ましい。
【００３０】
前記潅水ノズル２８は、前記送液ポンプ１６からの送液圧力が前記散布ノズル１０による噴霧のとき（１ＭＰａ程度）より大幅に低い圧力（０．１５ＭＰａ程度）とされ、液滴状又は連続流れ状態の水を畝に向けて下方に送出する型式のものが用いられる。従って、前記各潅水ノズル２８の吐水量（１０リットル／ｍｉｎ程度）は、前記各散布ノズル１０の吐出量（１リットル／ｍｉｎ）よりも大きくなる。また、前記各潅水ノズル２８の吐水方向は、畝間に潅水しないように畝上の作物の根元に差し向けられている。
【００３１】
次に、本発明による潅水装置の動作を説明する。
先ず、本発明による潅水装置１を乗用管理機２に取付ける。詳細には、前記乗用管理機２の前記取付けフレーム２４に、前記潅水装置１の前記潅水装置ステー２６の前記凹状取付け部３２ａを上方から嵌合させ、前記潅水装置１を前記締結具３６によって前記車体８側に固着させる。また、前記送液ポンプ１６と前記噴霧装置１２とを接続していた前記ポンプ配管１８を切替えて、前記送液ポンプ１６と前記潅水装置１とを接続する。例えば、前記センターブーム２０の前記継手（図示せず）に接続されている前記下流側配管１８ｂを取外して、前記分配筐４２に接続する。この場合、前記延長ブーム２２の前記継手（図示せず）に接続されている前記下流側配管１８ｂを取外して、該下流側配管１８ｂを閉鎖してもよいし、前記散布ノズル１０の開閉コック（図示せず）を閉じてもよい。
次いで、前記ノズルステー３８の取付け位置を、前記締結具４０を緩めることによって、畝上の播種部位等に合わせて調整し、再び前記締結具４０を締める。また、前記潅水ノズル２８の吐水方向を、前記ノズルステー３８を曲げることによって適宜調整する。
【００３２】
次いで、前記液体タンク１４に水を入れて、前記乗用管理機４を作動させると共に、前記車輪６、６、６、６が畝の間を走行するように前記乗用管理機４を自走させる。前記液体タンク１４内の水が前記送液ポンプ１６によって送出され、前記ポンプ配管１８、前記分配筐４２及び前記潅水ノズル配管４４を介して、前記各潅水ノズル２８から前記車輪６、６間の畝に吐水される。
前記各潅水ノズル２８から吐水される水は低圧であるので、前記潅水ノズル２８から吐水された水圧で、種子や土を飛ばすことはない。
かくして、既存の前記乗用管理機２を利用して、潅水機能を備えた自走式の乗用管理機４を構成することができる。その結果、防除剤及び除草剤等の散布作業と、播種後、定植後及び移植後の潅水作業を、一台の乗用管理機４によって行うことができる。
【００３３】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
上記実施形態では、前記潅水ノズル２８が四つである場合を説明したが、播種、定植又は移植等の目的に応じて、前記潅水ノズル２８の数を増減してもよい。
また、前記乗用管理機２，４に、耕運用ロータリー等のオプションを取付けてもよい。
上記実施形態では、前記車体８の前記取付けフレーム２４が矩形断面であり、前記潅水装置１の前記取付け部３２が前記凹状取付け部３２ａを有しているものを例示したが、前記潅水装置１を前記車体８に取付けることができれば、前記取付け部３２は他の構成であってもよい。
また、上記実施形態では、前記潅水装置１が前記乗用管理機４に脱着可能であったが、前記乗用管理機４に固定されたままの潅水装置１であってもよい。
なお、自走可能な車体８も、四輪車に限定されるものでないことは、いうまでもない。
【図面の簡単な説明】
【００３４】
【図１】本発明による潅水装置を取付けた乗用管理機の全体斜視図である。
【図２】乗用管理機に取付けられた潅水装置の前方からの要部斜視図である。
【図３】乗用管理機に取付けられた潅水装置の後方からの要部斜視図である。
【図４】従来の乗用管理機の全体斜視図である。
【符号の説明】
【００３５】
１    潅水装置
２、４  乗用管理機
６    車輪
８    車体
１０  散布（噴霧）ノズル
１２  噴霧装置
１４  液体タンク
１６  送液ポンプ
１８  ポンプ配管
２４  取付けフレーム
２６  潅水装置ステー
２８  潅水ノズル
３０  配管接続部
３２ａ  凹状取付け部
３４  レール部
３６  締結具
３８  ノズルステー
４２  分配筐
４４  潅水ノズル配管
【図１】
0004633566.tif 000002
【図２】
0004633566.tif 000003
【図３】
0004633566.tif 000004
【図４】
0004633566.tif 000005